(57)【要約】【課題】本発明は、被写体像を結像させ、撮影操作に応じて該被写体を表す画像データを生成して記録する撮影装置に関し、ソフトウェアが格納されたハードディスク装置が内蔵された撮影装置において起動処理が開始されてから撮影操作が可能な状態となるまでの時間が短縮された撮影装置を提供することを目的とする。【解決手段】ＣＰＵ１４０で実行されるソフトウェアのうちの初期化用ソフトウェアが、ハードディスク装置１６２に格納されたソフトウェアを実行するよりも高速に実行可能なＲＯＭ１５２に格納されていて、ＲＯＭ１５２に格納された初期化用ソフトウェアの実行と、ハードディスク装置１６２に格納された応用ソフトウェアおよび基本ソフトウェアをＲＡＭ１５３に読み出す動作の実行とを並行して処理する。【選択図】        図５
2006163714.tif 000002
【特許請求の範囲】
【請求項１】
被写体像を結像させ、撮影操作に応じて該被写体を表す画像データを生成して記録する撮影装置において、
ソフトウェアを実行するＣＰＵと、
前記ＣＰＵで実行されるソフトウェアのうちの一部のソフトウェアを格納する不揮発性メモリと、
前記ＣＰＵで実行されるソフトウェアのうちの前記不揮発性メモリに格納されたソフトウェアを除くソフトウェアを格納するハードディスク装置と、
前記ハードディスク装置から読み出されたソフトウェアが格納される揮発性メモリとを備え、
前記ＣＰＵが、前記不揮発性メモリに格納されたソフトウェアの実行と、前記ハードディスク装置に格納されたソフトウェアを該ハードディスク装置から前記揮発性メモリに読み出す動作の実行とを並行して処理するものであることを特徴とする撮影装置。
【請求項２】
前記ハードディスク装置が、圧縮された形式のソフトウェアを格納するものであることを特徴とする請求項１記載の撮影装置。
【請求項３】
前記不揮発性メモリが、前記一部のソフトウェアとして、アプリケーションソフトウェアのうちの一部のアプリケーションソフトウェア、およびオペレーティングシステムを格納するものであることを特徴とする請求項１記載の撮影装置。
【発明の詳細な説明】
【技術分野】
【０００１】
本発明は、被写体像を結像させ、撮影操作に応じて該被写体を表す画像データを生成して記録する撮影装置に関する。
【背景技術】
【０００２】
従来より、撮像素子上に被写体の像を結像させて、その被写体を表す画像データを取り込むデジタルカメラ等の撮影装置が知られている。このような撮影装置に用いられる記録メディアとしては、スマートメディア（登録商標）、ｘＤ−ピクチャーカード（登録商標）、ＳＤメモリカード（登録商標）、コンパクトフラッシュ（登録商標）、メモリースティック（登録商標）などといった様々なメモリカードが各社から市販されており、撮影装置に所定のメモリカードを装填して撮影することによって、装填されたメモリカードに被写体を表す画像データが記録される。
【０００３】
近年、高画質の静止画像を得ることのできるデジタルカメラが普及してきており、このようなデジタルカメラで高画質の静止画像を記録する場合は、１つ１つの画像データのデータサイズが大きくなることから、上述したメモリカードの容量よりも更に大容量の記録メディアが求められている。撮影装置に用いられる大容量の記録メディアとしては、例えばマイクロドライブに代表されるハードディスク装置が知られている（例えば、特許文献１参照。）。また、撮影装置に内蔵されたハードディスク装置にオペレーティングシステムやアプリケーションソフトウェアが格納されている場合には、撮影装置の電源ボタンが操作されてこの撮影装置の起動処理が開始されると、ハードディスク装置に格納されたオペレーティングシステムやアプリケーションソフトウェアがハードディスク装置からＲＡＭなどの揮発性メモリに読み出され、読み出されたソフトウェアに基づく処理が実行されて撮影操作が可能な状態となる。
【特許文献１】特開２００４−１８７０５７号公報
【発明の開示】
【発明が解決しようとする課題】
【０００４】
上述した特許文献１に提案された撮影装置に内蔵されたハードディスク装置には記録媒体である磁気ディスクが内蔵されていて、この撮影装置の起動処理が開始されると、磁気ディスクがモータで回転されて所定の回転数に達した後にデータの再生が可能となる。そのため、撮影装置の起動処理が開始されて、オペレーティングシステムやアプリケーションソフトウェアがハードディスク装置から揮発性メモリに読み出され、読み出されたソフトウェアに基づく処理が実行されるといった、起動処理の開始から撮影操作が可能な状態となるまでの一連の処理は、時間の掛かることとなり、撮影装置を起動させた後に一刻も早く撮影操作が可能な状態となることが求められる撮影装置では、起動時における上記一連の処理が実行されている間にシャッターチャンスを逃してしまうおそれがある。
【０００５】
本発明は、上記事情に鑑み、ソフトウェアが格納されたハードディスク装置が内蔵された撮影装置において起動処理が開始されてから撮影操作が可能な状態となるまでの時間が短縮された撮影装置を提供することを目的とするものである。
【課題を解決するための手段】
【０００６】
上記目的を達成する本発明の撮影装置は、
被写体像を結像させ、撮影操作に応じてその被写体を表す画像データを生成して記録する撮影装置において、
ソフトウェアを実行するＣＰＵと、
上記ＣＰＵで実行されるソフトウェアのうちの一部のソフトウェアを格納する不揮発性メモリと、
上記ＣＰＵで実行されるソフトウェアのうちの上記不揮発性メモリに格納されたソフトウェアを除くソフトウェアを格納するハードディスク装置と、
上記ハードディスク装置から読み出されたソフトウェアが格納される揮発性メモリとを備え、
上記ＣＰＵが、上記不揮発性メモリに格納されたソフトウェアの実行と、上記ハードディスク装置に格納されたソフトウェアをそのハードディスク装置から上記揮発性メモリに読み出す動作の実行とを並行して処理するものであることを特徴とする。
【０００７】
本発明の撮影装置は、ＣＰＵで実行されるソフトウェアのうちの一部のソフトウェアが、ハードディスク装置に格納されたソフトウェアを実行するよりも高速に実行可能な、ＲＯＭに代表される不揮発性メモリに格納されていて、不揮発性メモリに格納されたソフトウェアの実行と、ハードディスク装置に格納されたソフトウェアを揮発性メモリに読み出す動作の実行とを並行して処理するものである。従って、例えば、その不揮発性メモリに、上記一部のソフトウェアとして、撮影装置の起動処理が開始されてから撮影操作が可能な状態となるまで処理を行うソフトウェアが格納された本発明の撮影装置によれば、この一部のソフトウェアを含めたすべてのソフトウェアがハードディスク装置に格納された従来の撮影装置における、起動処理が開始されてから撮影操作が可能な状態となるまでの時間よりも短い時間で撮影操作が可能な状態となる。
【０００８】
尚、不揮発性メモリに格納されたソフトウェアは、その不揮発性メモリに格納された状態のまま実行されてもよく、あるいは、その不揮発性メモリから一旦揮発性メモリに転送されて格納され、その揮発性メモリに格納されたソフトウェアが実行されてもよい。
【０００９】
ここで、上記本発明の撮影装置は、上記ハードディスク装置が、圧縮された形式のソフトウェアを格納するものであることが好ましい。
【００１０】
圧縮された形式のソフトウェアは、上記ハードディスク装置から上記揮発性メモリに読み出す動作をそのソフトウェアが圧縮される前よりも短時間で実行することができる。また、ハードディスク装置に格納されるソフトウェアの領域が少なくて済むことから、撮影で得られた画像データをそのハードディスク装置により多く保存することが可能である。
【００１１】
また、上記本発明の撮影装置は、上記不揮発性メモリが、上記一部のソフトウェアとして、アプリケーションソフトウェアのうちの一部のアプリケーションソフトウェア、およびオペレーティングシステムを格納するものであることも好ましい形態である。
【００１２】
オペレーティングシステムが不揮発性メモリに格納されることによって、その分、ハードディスク装置から揮発性メモリに読み出す動作時間が短縮されることとなる。
【発明の効果】
【００１３】
本発明によれば、ソフトウェアが格納されたハードディスク装置が内蔵された撮影装置において起動処理が開始されてから撮影操作が可能な状態となるまでの時間が短縮された撮影装置が提供される。
【発明を実施するための最良の形態】
【００１４】
以下、図面を参照して本発明の実施の形態を説明する。
【００１５】
ここでは、本発明を、装填された二次電池から電力供給を受けて動作し、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。尚、このデジタルカメラは、デジタルカメラ本体に対して光軸方向に進退する沈胴式のレンズ鏡胴を備えたデジタルカメラであって、撮影時にはレンズ鏡胴が繰り出され、非撮影時にはレンズ鏡胴がレンズの焦点距離領域より更に沈胴されて、レンズ先端部がデジタルカメラ本体より突出しないデジタルカメラである。
【００１６】
図１は、本発明の撮影装置の第１実施形態が適用されたデジタルカメラを前面斜め上から見た外観斜視図であり、図２は、図１に示すデジタルカメラを背面斜め上から見た外観斜視図である。尚、図１には、レンズ鏡胴が沈胴されてレンズ先端部がデジタルカメラ本体より突出しない非撮影時の状態の図が示されている。
【００１７】
図１に示すように、デジタルカメラ１００の正面の中央部には、外観上、ズームレンズや、被写体に焦点を合わせるフォーカスレンズなどで構成される撮影レンズ１０１が備えられている。また、このデジタルカメラ１００の前面上部には、撮影者が被写体の位置などを定めるために覗く光学式ファインダ対物窓１０２、およびシャッタレリーズボタン１０５の押下に同期して発光する閃光発光装置１０３が備えられている。さらに、このデジタルカメラ１００の上面には、スライド式の電源ボタン１０４、および撮影時に押下されるシャッタレリーズボタン１０５が備えられている。シャッタレリーズボタン１０５は半押し、および全押しの２段階に押下可能であり、撮影レンズ１０１内のフォーカスレンズに取り付けられたモータを光軸方向に駆動して撮影画角の中央領域に焦点を合わせる、フォーカス機能によるフォーカシングが連続的に行われていて、シャッタレリーズボタン１０５を半押しすると、フォーカスレンズの位置をその半押しされた時点の位置に固定するフォーカスロックが設定され、シャッタレリーズボタン１０５を全押しすると、シャッタが切られて実際の撮影が行われる。デジタルカメラ１００の内部には、撮影レンズ１０１の背面に配備されたＣＣＤ１１３（図３参照）が備えられている。撮影レンズ１０１を経由してきた被写体光はＣＣＤ１１３に入射されて電気信号であるアナログの画像信号に変換される。
【００１８】
また、図２に示すように、このデジタルカメラ１００の背面には、光学式ファインダ接眼窓１０６と、メニューボタン１０７１と、画面切換ボタン１０７２と、操作部１０７３ａと操作部１０７３ｂとからなるズーム操作キー１０７３と、各種選択操作を行う十字キー１０７４と、各種操作によって変更された設定を確定する実行ボタン１０７５と、画像やメニューを表示する液晶ディスプレイ（Ｌｉｑｕｉｄ  Ｃｒｙｓｔａｌ  Ｄｉｓｐｌａｙ：ＬＣＤ）パネル１０８とが備えられている。ズーム操作キー１０７３の一方の操作部１０７３ａを押すと、押し続けている間、レンズ鏡胴が沈胴状態から最大繰出状態に向かって移動し、ズーム操作キー１０７３のもう一方の操作部１０７３ｂを押すと、押し続けている間、レンズ鏡胴が繰出状態から沈胴状態に向かって移動する。
【００１９】
図３は、図１，図２に示すデジタルカメラ１００のブロック図である。尚、この図３に示す各矢印は制御線を表したものである。
【００２０】
デジタルカメラ１００には、光学系１１０、光学系駆動部１２０、画像信号処理部１３０、ＣＰＵ１４０、操作部１４１、コンデンサ充電制御部１４２、閃光発光装置１４３、電源制御部１４４、二次電池１４５、メモリＩ／Ｆ１５１、ＲＯＭ１５２、ＲＡＭ１５３、ハードディスクＩ／Ｆ１６１、ハードディスク装置１６２、および画像表示装置１７０が具備されている。また、光学系１１０には、ズームレンズ１１１、アイリス１１２、およびフォーカスレンズ１１３が備えられている。また、光学系駆動部１２０には、ズームモータ１２１、絞りモータ１２２、およびフォーカスモータ１２３が備えられている。さらに、画像信号処理部１３０には、ＣＣＤ１３１、アナログ信号処理部１３２、ＡＤＣ（Ａｎａｌｏｇ  ｔｏ  Ｄｉｇｉｔａｌ  Ｃｏｎｖｅｒｔｅｒ）１３３、およびデジタル信号処理部１３４が備えられている。
【００２１】
まず、光学系１１０および光学系駆動部１２０の要素について説明する。
【００２２】
ズームレンズ１１１は、焦点距離の変化に係わるレンズである。尚、本来、デジタルカメラなどといった撮影装置の光学系には複数のレンズが配備され、それら複数のレンズのうち少なくとも１つのレンズがピントの調節に大きく関与し、各レンズの相対位置が焦点距離に関与するが、この図３では、それらの複数のレンズのうち、焦点距離の変化に係わるレンズをズームレンズ１１１として模式的に示しており、ピントの調節に係わるレンズをフォーカスレンズ１１３として模式的に示している。ズームレンズ１１１にはズームモータ１２１が取り付けられており、そのズームモータ１２１はＣＰＵ１４０からの指示に従った指示信号によって駆動される。ズーム操作キー１０７３の操作部１０７３ａや操作部１０７３ｂが操作されると、ＣＰＵ１４０からの、ズームレンズ１１１を所定の駆動範囲内で移動させる指示に従った指示信号がズームモータ１２１に与えられる。ズームモータ１２１がその指示信号に従って回転すると、ズームレンズ１１１が移動する。
【００２３】
アイリス１１２には、図示しない大きさの異なる２つの孔が設けられている。また、アイリス１１２には絞りモータ１２２が取り付けられており、その絞りモータ１２２はＣＰＵ１４０からの指示に従った指示信号によって駆動される。ＣＰＵ１４０からの指示に従った指示信号が絞りモータ１２２に与えられ、絞りモータ１２２がその指示信号に従って回転すると、アイリス１１２に設けられた孔が切り替えられる。このような切り替えによって、被写体光の光量が調整される。
【００２４】
フォーカスレンズ１１３は、被写体に焦点を合わせるためのレンズである。フォーカスレンズ１１３にはフォーカスモータ１２３が取り付けられており、そのフォーカスモータ１２３はＣＰＵ１４０からの指示に従った指示信号によって駆動される。ＣＰＵ１４０からの、フォーカスレンズ１１３を所定の駆動範囲内で移動させる指示や、フォーカスレンズ１１３を合焦位置に向かわせるための合焦位置の指示などを受けて、それらの指示に従った指示信号がフォーカスモータ１２３に与えられる。フォーカスモータ１２３がその指示信号に従って回転すると、フォーカスレンズ１１３が移動する。
【００２５】
以上が光学系１１０および光学系駆動部１２０の構成である。
【００２６】
次に、被写体を撮影し、その撮影画像に画像信号処理部１３０で信号処理を施す要素について説明する。
【００２７】
操作部１４１は、図１，図２に示す電源ボタン１０４、シャッタレリーズボタン１０５、メニューボタン１０７１、画面切換ボタン１０７２、操作部１０７３ａと操作部１０７３ｂとからなるズーム操作キー１０７３、十字キー１０７４、および実行ボタン１０７５をまとめて表示したものであって、各ボタンには、各ボタンの操作に同期して入切される各スイッチが接続されている。これらの各スイッチが設定されると、ＣＰＵ１２６に各スイッチの設定状況が伝えられる。
【００２８】
デジタルカメラ１００に二次電池１４５を装填し、図１，図２に示す電源ボタン１０４をスライド操作して電源スイッチが入れられるとデジタルカメラ１００が駆動される。
【００２９】
ＣＣＤ１３１は、図１の撮影レンズ１０１を通ってきた被写体光を受光して、被写体光に基づく被写体像を、アナログ信号である被写体信号として読み取る。この被写体信号は、ＣＰＵ１４０からの指示に従って、アナログ信号処理部１３２に出力される。
【００３０】
ＣＰＵ１４０は、所定時間ごと、あるいは図１，図２に示すシャッタレリーズボタン１０５が押されたときに、ＣＣＤ１３１に被写体信号を出力させる指示を送る。アナログ信号処理部１３２は、増幅率を調整してその調整された増幅率で被写体信号を増幅する。ＡＤＣ１３３は、被写体信号をデジタルデータである撮影画像データに変換する。デジタルカメラ１００は、フォーカスレンズ１１３の合焦位置を検出する合焦動作を行うために、本撮影の前にも撮影画像データを生成する。また、本撮影時に生成される解像度の高い撮影画像データは、メモリＩ／Ｆ１５１を介してＲＡＭ１５３に送られて書き込まれる。デジタル信号処理部１３４は、本撮影時に生成されてＲＡＭ１５３に書き込まれた撮影画像データをメモリＩ／Ｆ１５１を介してＲＡＭ１５３から読み出して、その撮影画像データのＲＧＢレベルの調節、ガンマ調整、圧縮処理などを行う。また、ハードディスク装置１６２は、撮影画像データを記録しておく記録媒体であって、このハードディスク装置１６２には、ハードディスクＩ／Ｆ１６１を介して撮影画像データが記録される。また、このハードディスク装置１６２には、デジタルカメラ１００を動作させる、後述するＲＯＭ１５２に格納された初期化用ソフトウェアを除くアプリケーションソフトウェア（以下、このアプリケーションソフトウェアを応用ソフトウェアと称する）、およびオペレーティングシステム（以下、このオペレーティングシステムを基本ソフトウェアと称する）が格納されている。このハードディスク装置１６２は、本発明にいうハードディスク装置の一例に相当する。
【００３１】
画像表示装置１７０は、メニュー画面や撮影画像データが表す撮影画像をＬＣＤパネル１０８（図２参照）に表示させる。また、この画像表示装置１７０は、電源制御部１４４を介して、二次電池１４５の電池残量もＬＣＤパネル１０８（図２参照）に表示させる。
【００３２】
コンデンサ充電制御部１４２は、二次電池１４５から電力供給を受けてメインコンデンサを充電するものであって、閃光発光装置１４３は、メインコンデンサに蓄積された電力の供給を受けて閃光を発するものである。
【００３３】
ＲＯＭ１５２には、デジタルカメラ１００を動作させるソフトウェアのうちの初期化用ソフトウェア、オープニング画面、およびオープニング起動音が格納されている。ここでいう初期化用ソフトウェアとは、ハードディスク装置１６２や画像表示装置１７０の初期化、セルフテスト、ＲＡＭ１５３のチェックなどといったデジタルカメラ１００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理を実行するためのソフトウェアである。このＲＯＭ１５２は、本発明にいう不揮発性メモリの一例に相当する。
【００３４】
ＲＡＭ１５３には、撮影時に一時的に蓄えられる撮影画像データが書き込まれたり、ハードディスク装置１６２やＲＯＭ１５２から転送されたソフトウェアが一時的に格納される。このＲＡＭ１５３は、本発明にいう揮発性メモリの一例に相当する。
【００３５】
また、ＣＰＵ１４０は、図１〜図３に示すデジタルカメラ１００の各種要素を制御したり、初期化用ソフトウェアや応用ソフトウェアや基本ソフトウェアを実行する。このＣＰＵ１４０は、本発明にいうＣＰＵの一例に相当する。
【００３６】
第１実施形態のデジタルカメラ１００は、基本的には以上のように構成されている。
【００３７】
ここで、デジタルカメラ１００における、本発明の第１実施形態としての特徴は、起動処理が開始されてから撮影操作が可能な状態となるまでの間における、初期化用ソフトウェアや応用ソフトウェアや基本ソフトウェアを実行する動作にあり、以下、この動作について説明する。
【００３８】
図４は、ＲＡＭ１５３におけるマッピングを模式的に示した模式図であり、図５は、初期化用ソフトウェアや応用ソフトウェアや基本ソフトウェアが実行される流れを説明するフローチャートである。
【００３９】
図５に示すフローチャートで説明する動作は、電源ボタン１０４がスライド操作されることによって開始される。
【００４０】
まず、電源ボタン１０４がスライド操作されたことを受けて、図４に示すように、図３に示すＲＯＭ１５２に格納された初期化用ソフトウェアがＣＰＵ１４０によってＲＡＭ１５３に転送されて格納され、ＲＡＭ１５３に格納された初期化用ソフトウェアがＣＰＵ１４０によって実行される（ステップＳ１１）。ステップＳ１１による初期化用ソフトウェアの実行によって、ハードディスク装置１６２や画像表示装置１７０の初期化、セルフテスト、ＲＡＭ１５３のチェックなどといったデジタルカメラ１００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理が実行される。
【００４１】
また、ステップＳ１１による処理と並行して、電源ボタン１０４がスライド操作されたことを受けて、図４に示すように、図３に示すハードディスク装置１６２に格納された応用ソフトウェアおよび基本ソフトウェアがＣＰＵ１４０によってＲＡＭ１５３に転送されて読み出される（ステップＳ１２、ステップＳ１３）。
【００４２】
次に、ステップＳ１１、ステップＳ１２、およびステップＳ１３による処理が終了した後に、ステップＳ１２およびステップＳ１３でＲＡＭ１５３に読み出された応用ソフトウェアおよび基本ソフトウェアがＣＰＵ１４０によって実行される（ステップＳ１４、ステップＳ１５）。
【００４３】
このように、上述した第１実施形態のデジタルカメラ１００は、ＣＰＵ１４０で実行されるソフトウェアのうちの、デジタルカメラ１００の起動処理が開始されてから撮影操作が可能な状態となるまでの処理を行う初期化用ソフトウェアが、ハードディスク装置１６２に格納されたソフトウェアを実行するよりも高速に実行可能なＲＯＭ１５２に格納されていて、ＲＯＭ１５２に格納された初期化用ソフトウェアの実行と、ハードディスク装置１６２に格納された応用ソフトウェアおよび基本ソフトウェアをＲＡＭ１５３に読み出す動作の実行とを並行して処理するものである。従って、第１実施形態のデジタルカメラ１００によれば、初期化用ソフトウェアを含めたすべてのソフトウェアがハードディスク装置に格納された従来のデジタルカメラにおける、起動処理が開始されてから撮影操作が可能な状態となるまでの時間よりも短い時間で撮影操作が可能な状態となる。
【００４４】
尚、上述した第１実施形態では、ＲＯＭ１５２に格納された初期化用ソフトウェアが一旦ＲＡＭ１５３に転送されて格納され、ＲＡＭ１５３に格納された初期化用ソフトウェアが実行される例を挙げたが、ＲＯＭ１５２に格納された初期化用ソフトウェアは、ＲＯＭ１５２に格納された状態のまま実行されてもよい。
【００４５】
以上で、本発明の第１実施形態の説明を終了する。
【００４６】
次に、第２実施形態として、ソフトウェアが格納されたハードディスク装置が内蔵されたデジタルカメラにおいて、そのハードディスク装置が、圧縮された形式のソフトウェアを格納する実施形態について説明する。
【００４７】
尚、以下説明する第２実施形態では、第１実施形態で説明した装置構成とほぼ同じ装置構成を有するため、第１実施形態との相違点に注目し、同じ要素については同じ符号を付して説明を省略する。
【００４８】
図６は、本発明の撮影装置の第２実施形態が適用されたデジタルカメラ２００のブロック図である。
【００４９】
図６に示すハードディスク装置１６３には、デジタルカメラ２００を動作させる、後述するＲＯＭ１５４に格納された初期化用ソフトウェアを除くアプリケーションソフトウェア（以下、このアプリケーションソフトウェアを応用ソフトウェアと称する）、およびオペレーティングシステム（以下、このオペレーティングシステムを基本ソフトウェアと称する）が圧縮された形式で格納されているこのハードディスク装置１６３は、本発明にいうハードディスク装置の一例に相当する。
【００５０】
ＲＯＭ１５４には、デジタルカメラ２００を動作させるソフトウェアのうちの初期化用ソフトウェア、オープニング画面、およびオープニング起動音が格納されている。ここでいう初期化用ソフトウェアとは、ハードディスク装置１６３や画像表示装置１７０の初期化、セルフテスト、ＲＡＭ１５５のチェックなどといったデジタルカメラ２００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理を実行するためのソフトウェアである。このＲＯＭ１５４は、本発明にいう不揮発性メモリの一例に相当する。
【００５１】
ＲＡＭ１５５には、撮影時に一時的に蓄えられる撮影画像データが書き込まれたり、ハードディスク装置１６３やＲＯＭ１５４から転送されたソフトウェアが一時的に格納される。このＲＡＭ１５５は、本発明にいう揮発性メモリの一例に相当する。
【００５２】
また、ＣＰＵ１４０は、デジタルカメラ２００の各種要素を制御したり、初期化用ソフトウェアや応用ソフトウェアや基本ソフトウェアを実行する。このＣＰＵ１４０は、本発明にいうＣＰＵの一例に相当する。
【００５３】
第２実施形態のデジタルカメラ２００は、基本的には以上のように構成されている。
【００５４】
ここで、デジタルカメラ２００における、本発明の一実施形態としての特徴は、起動処理が開始されてから撮影操作が可能な状態となるまでの間における、初期化用ソフトウェアや応用ソフトウェアや基本ソフトウェアを実行する動作にあり、以下、この動作について説明する。
【００５５】
図７は、ＲＡＭ１５５におけるマッピングを模式的に示した模式図であり、図８は、初期化用ソフトウェアや応用ソフトウェアや基本ソフトウェアが実行される流れを説明するフローチャートである。
【００５６】
図８に示すフローチャートで説明する動作は、電源ボタン１０４がスライド操作されることによって開始される。
【００５７】
まず、電源ボタン１０４がスライド操作されたことを受けて、図７に示すように、図６に示すＲＯＭ１５４に格納された初期化用ソフトウェアがＣＰＵ１４０によってＲＡＭ１５５に転送されて格納され、ＲＡＭ１５５に格納された初期化用ソフトウェアがＣＰＵ１４０によって実行される（ステップＳ２１）。ステップＳ２１による初期化用ソフトウェアの実行によって、ハードディスク装置１６３や画像表示装置１７０の初期化、セルフテスト、ＲＡＭ１５５のチェックなどといったデジタルカメラ２００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理が実行される。
【００５８】
また、ステップＳ２１による処理と並行して、電源ボタン１０４がスライド操作されたことを受けて、図７に示すように、図６に示すハードディスク装置１６３に圧縮された形式で格納された応用ソフトウェアおよび基本ソフトウェアがＣＰＵ１４０によってＲＡＭ１５５に転送されて読み出される（ステップＳ２２）。また、ステップＳ２２でＲＡＭ１５５に読み出された圧縮された形式の応用ソフトウェアおよび基本ソフトウェアが、ステップＳ２１でＲＡＭ１５５に読み出された初期化用ソフトウェアによって展開される（ステップＳ２３）。
【００５９】
次に、ステップＳ２１、ステップＳ２２、およびステップＳ２３による処理が終了した後に、ステップＳ２３でＲＡＭ１５３に展開された応用ソフトウェアおよび基本ソフトウェアがＣＰＵ１４０によって実行される（ステップＳ２４、ステップＳ２５）。
【００６０】
このように、上述した第２実施形態のデジタルカメラ２００は、ハードディスク装置１６３が圧縮された形式のソフトウェアを格納するものであるため、ハードディスク装置１６３からＲＡＭ１５５に読み出す動作をそのソフトウェアが圧縮される前よりも短時間で実行することができる。また、ハードディスク装置１６３に格納されるソフトウェアの領域が少なくて済むことから、撮影で得られた撮影画像データをハードディスク装置１６３により多く保存することが可能である。
【００６１】
尚、上述した第２実施形態では、ハードディスク装置１６３に格納された圧縮された形式のソフトウェアが、初期化用ソフトウェアによって展開される例を挙げたが、デコーダを備えたデジタルカメラであれば、圧縮された形式のソフトウェアが、デコーダによって展開されてもよい。
【００６２】
以上で、本発明の第２実施形態の説明を終了する。
【００６３】
次に、第３実施形態として、ソフトウェアが格納されたハードディスク装置が内蔵されたデジタルカメラにおいて、不揮発性メモリが、ＣＰＵで実行されるソフトウェアのうちの一部のソフトウェアとして、アプリケーションソフトウェアのうちの一部のアプリケーションソフトウェア、およびオペレーティングシステムを格納する実施形態について説明する。
【００６４】
尚、以下説明する第３実施形態では、第１実施形態で説明した装置構成とほぼ同じ装置構成を有するため、第１実施形態との相違点に注目し、同じ要素については同じ符号を付して説明を省略する。
【００６５】
図９は、本発明の撮影装置の第３実施形態が適用されたデジタルカメラ３００のブロック図である。
【００６６】
図９に示すハードディスク装置１６４には、デジタルカメラ３００を動作させる、後述するＲＯＭ１５６に格納された初期化用ソフトウェアを除くアプリケーションソフトウェア（以下、このアプリケーションソフトウェアを応用ソフトウェアと称する）が格納されているこのハードディスク装置１６４は、本発明にいうハードディスク装置の一例に相当する。
【００６７】
ＲＯＭ１５６には、デジタルカメラ３００を動作させるソフトウェアのうちの初期化用ソフトウェア、オペレーティングシステム（以下、このオペレーティングシステムを基本ソフトウェアと称する）、オープニング画面、およびオープニング起動音が格納されている。ここでいう初期化用ソフトウェアとは、ハードディスク装置１６４や画像表示装置１７０の初期化、セルフテスト、ＲＡＭ１５７のチェックなどといったデジタルカメラ３００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理を実行するためのソフトウェアである。このＲＯＭ１５６は、本発明にいう不揮発性メモリの一例に相当する。
【００６８】
ＲＡＭ１５７には、撮影時に一時的に蓄えられる撮影画像データが書き込まれたり、ハードディスク装置１６４やＲＯＭ１５６から転送されたソフトウェアが一時的に格納される。このＲＡＭ１５７は、本発明にいう揮発性メモリの一例に相当する。
【００６９】
また、ＣＰＵ１４０は、デジタルカメラ３００の各種要素を制御したり、初期化用ソフトウェアや応用ソフトウェアや基本ソフトウェアを実行する。このＣＰＵ１４０は、本発明にいうＣＰＵの一例に相当する。
【００７０】
第３実施形態のデジタルカメラ３００は、基本的には以上のように構成されている。
【００７１】
ここで、デジタルカメラ３００における、本発明の一実施形態としての特徴は、起動処理が開始されてから撮影操作が可能な状態となるまでの間における、初期化用ソフトウェアや応用ソフトウェアや基本ソフトウェアを実行する動作にあり、以下、この動作について説明する。
【００７２】
図１０は、ＲＡＭ１５７におけるマッピングを模式的に示した模式図であり、図１１は、初期化用ソフトウェアや応用ソフトウェアや基本ソフトウェアが実行される流れを説明するフローチャートである。
【００７３】
図１１に示すフローチャートで説明する動作は、電源ボタン１０４がスライド操作されることによって開始される。
【００７４】
まず、電源ボタン１０４がスライド操作されたことを受けて、図１０に示すように、図９に示すＲＯＭ１５６に格納された初期化用ソフトウェアおよび基本ソフトウェアがＣＰＵ１４０によってＲＡＭ１５７に転送されて格納され、ＲＡＭ１５７に格納された初期化用ソフトウェアおよび基本ソフトウェアがＣＰＵ１４０によって実行される（ステップＳ３１）。ステップＳ２１による初期化用ソフトウェアの実行によって、ハードディスク装置１６４や画像表示装置１７０の初期化、セルフテスト、ＲＡＭ１５７のチェックなどといったデジタルカメラ３００に備えられた各デバイスの初期化、電源スイッチが入れられた時のＬＣＤパネル１０８へのオープニング画面の表示およびオープニング起動音の鳴動、および沈胴式のレンズ鏡胴の繰り出し動作といった一連の初期化処理が実行される。
【００７５】
また、ステップＳ３１による処理と並行して、電源ボタン１０４がスライド操作されたことを受けて、図１０に示すように、図９に示すハードディスク装置１６４に格納された応用ソフトウェアがＣＰＵ１４０によってＲＡＭ１５５に転送されて読み出される（ステップＳ３２）。
【００７６】
次に、ステップＳ３１およびステップＳ２２による処理が終了した後に、ステップＳ３２でＲＡＭ１５３に読み出された応用ソフトウェアがＣＰＵ１４０によって実行される（ステップＳ３３）。
【００７７】
このように、上述した第３実施形態のデジタルカメラ２００は、基本ソフトウェアがＲＯＭ１５６に格納されるものであるため、その分、ハードディスク装置１６３からＲＡＭ１５５に読み出す動作時間が短縮されることとなる。
【００７８】
尚、上述した第３実施形態では、ＲＯＭ１５２に格納された初期化用ソフトウェアおよび基本ソフトウェアが一旦ＲＡＭ１５３に転送されて格納され、ＲＡＭ１５３に格納された初期化用ソフトウェアおよび基本ソフトウェアが実行される例を挙げたが、ＲＯＭ１５２に格納された初期化用ソフトウェアおよび基本ソフトウェアは、ＲＯＭ１５２に格納された状態のまま実行されてもよい。
【００７９】
以上で、本発明の第３実施形態の説明を終了する。
【００８０】
尚、上述した各実施形態では、ＣＣＤ上に被写体の像を結像させて、その被写体を表す撮影画像データを取り込むデジタルカメラに本発明を適用した例で説明したが、本発明は、これに限られるものではなく、例えば、撮影機能を有する携帯電話や携帯情報端末などにも適用することができる。
【図面の簡単な説明】
【００８１】
【図１】本発明の撮影装置の第１実施形態が適用されたデジタルカメラを前面斜め上から見た外観斜視図である。
【図２】図１に示すデジタルカメラを背面斜め上から見た外観斜視図である。
【図３】図１，図２に示すデジタルカメラ１００のブロック図である。
【図４】ＲＡＭ１５３におけるマッピングを模式的に示した模式図である。
【図５】初期化用ソフトウェアや応用ソフトウェアや基本ソフトウェアが実行される流れを説明するフローチャートである。
【図６】本発明の撮影装置の第２実施形態が適用されたデジタルカメラ２００のブロック図である。
【図７】ＲＡＭ１５５におけるマッピングを模式的に示した模式図である。
【図８】初期化用ソフトウェアや応用ソフトウェアや基本ソフトウェアが実行される流れを説明するフローチャートである。
【図９】本発明の撮影装置の第３実施形態が適用されたデジタルカメラ３００のブロック図である。
【図１０】ＲＡＭ１５７におけるマッピングを模式的に示した模式図である。
【図１１】初期化用ソフトウェアや応用ソフトウェアや基本ソフトウェアが実行される流れを説明するフローチャートである。
【符号の説明】
【００８２】
１００，２００，３００    デジタルカメラ
１０１    撮影レンズ
１０２    光学式ファインダ対物窓
１０３    閃光発光装置
１０４    電源ボタン
１０５    シャッタレリーズボタン
１０６    光学式ファインダ接眼窓
１０７１    メニューボタン
１０７２    画面切換ボタン
１０７３    ズーム操作キー
１０７３ａ，１０７３ｂ    操作部
１０７４    十字キー
１０７５    実行ボタン
１０８    ＬＣＤパネル
１１０    光学系
１１１    ズームレンズ
１１２    アイリス
１１３    フォーカスレンズ
１２０    光学系駆動部
１２１    ズームモータ
１２２    絞りモータ
１２３    フォーカスモータ
１３０    画像信号処理部
１３１    ＣＣＤ
１３２    アナログ信号処理部
１３３    ＡＤＣ
１３４    デジタル信号処理部
１４０    ＣＰＵ
１４１    操作部
１４２    コンデンサ充電制御部
１４３    閃光発光装置
１４４    電源制御部
１４５    二次電池
１５１    メモリＩ／Ｆ
１５２，１５４，１５６    ＲＯＭ
１５３，１５５，１５７    ＲＡＭ
１６１    ハードディスクＩ／Ｆ
１６２，１６３，１６４    ハードディスク装置
１７０    画像表示装置
【図１】
2006163714.tif 000003
【図２】
2006163714.tif 000004
【図３】
2006163714.tif 000005
【図４】
2006163714.tif 000006
【図５】
2006163714.tif 000007
【図６】
2006163714.tif 000008
【図７】
2006163714.tif 000009
【図８】
2006163714.tif 000010
【図９】
2006163714.tif 000011
【図１０】
2006163714.tif 000012
【図１１】
2006163714.tif 000013